(57)【特許請求の範囲】
【請求項１】
制御基板と前記制御基板を収容する開閉可能な基板収容ケースとを有して形成された制御基板ユニットを備えた遊技機であって、
前記基板収容ケースは、前記制御基板が取り付けられている第１ケース部材と、前記基板収容ケースの開閉時に前記第１ケース部材に対して相対的に移動する第２ケース部材と、を有し、
前記第２ケース部材は、前記基板収容ケースの外部から着脱可能な突起部材が取り付けられる取付け部を備え、
前記制御基板に、当該制御基板ユニットを識別するための識別シールが取り付けられ、
前記識別シールは、
整列配置された多数の微細なガラスビーズの一部が露出した状態で埋め込まれた保持層と、
前記多数のガラスビーズの露出した面の側に印刷された印刷層と、
前記保持層の側に設けられ、前記多数のガラスビーズの露出した面の側から照射される所定波長の照射光を反射する反射層と、を有し、
前記突起部材は、前記基板収容ケースの閉鎖後に前記取付け部に取り付けられ、前記基板収容ケースの開放による前記第１ケース部材の前記第２ケース部材に対する相対的な移動に伴って前記識別シールが移動するときに接触する位置に配置されていることを特徴とする遊技機。
【請求項２】
前記基板収容ケースは透明材料で形成されていることを特徴とする請求項１に記載の遊技機。
【発明の詳細な説明】
【技術分野】
【０００１】
本発明は、例えばパチンコ機、スロットマシン等の遊技機に関し、特に、不正行為を発見して防止等するための不正防止手段を備えた遊技機に関する。
【背景技術】
【０００２】
パチンコ機、スロットマシン等の遊技機は、ＣＰＵやＲＯＭ等の電子部品が搭載された主制御基板と演出用制御基板等の各種の制御基板によって遊技動作を制御するようになっている。
従来の遊技機では、各種の制御基板が夫々所定のケース内に収容され、更にケースが開けられることのないようにカシメ等によって封止されていた。
【０００３】
また、制御基板を収容したケースの一部分にＩＣタグと呼ばれるチップ状の電子部品を固着しておき、ＩＣタグが破壊された場合に、その破壊された痕跡を発見することで、不正行為が成されたと判断することができるようにしたもの（特許文献１参照）も知られている。
【先行技術文献】
【特許文献】
【０００４】
【特許文献１】特開２００７−２９６２３９号公報
【発明の概要】
【発明が解決しようとする課題】
【０００５】
ところが、より巧妙で悪質な不正行為者が多発するようになり、問題となっていた。
例えば、上述のカシメ等によって真正のケース（以下、真正ケースという）が開けられることのないように封止する構造とした場合、収容されている真正の制御基板に対して不正改造等を行おうとすると、カシメ部分を破壊して真正のケースを開放することとなり、一般には不正行為が見破られることとなる。しかし、巧妙な不正行為者によると、予め真正ケースと同形状の不正のケース（以下、不正ケースという）を偽造して準備しておき、真正ケースを破壊して取り出した真正の制御基板に対して不正改造等を施した上で、不正ケース内に収容してカシメ等によって封止するという極めて悪質な手段が講じられている。つまり、不正ケースと真正ケースとが同一の形状・大きさであるため、不正ケース内に不正改造等が施された制御基板が収容されると、真正のものと区別できなくなり、不正行為の形跡を発見することが極めて困難となっていた。
【０００６】
本発明は、上述した従来技術の問題点と遊技機の分野において要請されている課題に鑑みて成されたものであり、不正行為の形跡を発見することができる遊技機を提供することを目的とする。
【課題を解決するための手段】
【０００７】
かかる目的を達成するため第１の発明は、制御基板Ａと前記制御基板Ａを収容する開閉可能な基板収容ケースとを有して形成された制御基板ユニットＵＮを備えた遊技機１であって、前記基板収容ケースは、前記制御基板Ａが取り付けられている第１ケース部材Ｂと、前記基板収容ケースの開閉時に前記第１ケース部材Ｂに対して相対的に移動する第２ケース部材Ｃとを有し、前記第２ケース部材Ｃは、前記基板収容ケースの外部から着脱可能な突起部材（剥離部材）Ｈが取り付けられる取付け部を備え、前記制御基板Ａに、当該制御基板ユニットＵＮを識別するための識別シールＬＢが取り付けられ、前記識別シールＬＢは、整列配置された多数の微細なガラスビーズ５の一部が露出した状態で埋め込まれた保持層７と、前記多数のガラスビーズ５の露出した面の側に印刷された印刷層４と、前記保持層７の側に設けられ、前記多数のガラスビーズ５の露出した面の側から照射される所定波長の照射光を反射する反射層６と、を有し、前記突起部材Ｈは、前記基板収容ケースの閉鎖後に前記取付け部３ｉに取り付けられ、前記基板収容ケースの開放による前記第１ケース部材Ｂの前記第２ケース部材Ｃに対する相対的な移動に伴って前記識別シールＬＢが移動するときに接触する位置に配置されていることを特徴とする。
かかる目的を達成するため第２の発明は、前記基板収容ケースは透明材料で形成されていることを特徴とする。
【０００８】
識別シールが取り付けられた制御基板を収容する制御基板ユニットは、当該制御基板ユニット（あるいは、当該遊技機）が真正であることに対する証明能力を有する。したがって、例えば、識別シールが取り付けられた真正な制御基板を備える制御基板ユニットが、不正が施され、識別シールが取り付けられていない制御基板を備える別の制御基板ユニットに交換されると、不正行為の形跡が残ることとなる。
【０００９】
また、識別シールは、整列配置された多数の微細なガラスビーズの一部が露出した状態で埋め込まれた保持層と、多数のガラスビーズの露出した面の側に印刷された印刷層と、保持層の側に設けられ多数のガラスビーズの露出した面の側から照射される所定波長の照射光を反射する反射層とを有しているので、識別シールの構造と照射光の波長に基づいた特有の光学パターンが生じる。さらに、基板収容ケースの外側で取り付けられているので、所定波長の照射光を識別シールの印刷層側から識別シールに照射し、その光学パターンを調べることができる。したがって、識別シールを剥がす行為等により識別シールに接触すると、印刷層が損傷して当初の識別シールの構造が変形するので、当該識別シール特有の光学パターンが維持されなくなる。よって、真正な制御基板に取り付けられている識別シールを不正が施された制御基板に付け替えると、不正行為の形跡が残ることになる。
【００１０】
さらに、制御基板が取り付けられた第１ケース部材に相対的な移動可能な第２ケース部材は取付け部を有し、取付け部には基板収容ケースの外部から着脱可能な突起部材（剥離部材）が取り付けられている。また、識別シールは、基板収容ケースが開封される際に第１ケース部材が第２ケース部材に対して移動する向きに突起部材Ｈと対向している。この構成によって、基板収容ケースを開封する際に、突起部材が識別シールに接触するので、開封した後に密封し直したとしても開封の形跡が残ることとなる。つまり、不正行為発見の確実性が向上する。また、この結果、基板収容ケースを傷付けずに且つ不正の形跡を残さずに、基板収容ケースに収容されている制御基板に不正を施すことは困難であるので、不正行為の防止ともなる。さらに、突起部材が接触し、当初の識別シールの構造が変形すると、識別シールは元の状態に戻らないので、識別シールを制御基板から取り外したとしても再利用することはできない。
【発明の効果】
【００１１】
制御基板に取り付けられ、当該制御基板ユニットを識別するための識別シールと、制御基板が取り付けられていない第２ケース部材に基板収容ケースの外部から着脱可能な突起部材（剥離部材）とを備える。識別シールは、基板収容ケースが開封される際に第１ケース部材Ｂが第２ケース部材Ｃに対して移動する向きに突起部材と対向し、整列配置された多数の微細なガラスビーズの一部が露出した状態で埋め込まれた保持層と、多数のガラスビーズの露出した面の側に印刷された印刷層と、保持層の側に設けられ、多数のガラスビーズの露出した面の側から照射される所定波長の照射光を反射する反射層とを有する。したがって、不正行為の形跡を発見することができる。
【図面の簡単な説明】
【００１２】
【図１】（ａ）は実施形態に係るパチンコ機の外観を概略的に示した斜視図、（ｂ）は図１（ａ）に示したパチンコ機を分解した場合の外観を概略的に示した分解斜視図である。
【図２】制御基板ユニットの外観を示す斜視図である。
【図３】制御基板ユニットの外観を更に示す斜視図である。
【図４】制御基板ユニットの分解斜視図である。
【図５】取付け部及び識別シールを含む要部の断面端面図である。
【図６】制御基板ユニットの一部分を破断した要部断面図である。
【図７】更に、制御基板ユニットの他の部分を破断した要部断面図である。
【図８】（ａ）は実施形態１に係る識別シールの構造を示す断面図、（ｂ）は図８（ａ）の識別シールを目視したときの識別シールの平面図、（ｃ）は図８（ａ）の識別シールに所定波長の照射光を照射したときの識別シールの平面図である。
【図９】実施形態２に係る識別シールの構造を示す断面図である。
【図１０】実施形態３に係る識別シールの構造を示す断面図である。
【図１１】更に、実施形態３に係る識別シールの構造を示す断面図である。
【発明を実施するための形態】
【００１３】
以下、不正防止手段を備えた好適な実施形態について図面を参照して説明する。なお、本発明は、パチンコ機、スロットマシンなどの遊技機に広く適用することができるものであるが、パチンコ機に関する実施形態について説明することとする。
【００１４】
(実施形態１)
実施形態１はパチンコ機に関し、図１（ａ）はパチンコ機の外観を概略的に示した斜視図、図１（ｂ）はパチンコ機を分解した場合の外観を概略的に示した分解斜視図である。
【００１５】
図１（ａ）において、このパチンコ機１は、遊技場の遊技島に取り付けられる機枠１ａと、機枠１ａの前面に支持部１ｂによって回動可能に軸支された内枠１ｃと、内枠１ｃの前面に支持部１ｂによって回動可能に軸支されたフロント扉１ｄとを有し、機枠１ａの下側部分に、遊技球を収容するための受皿１ｅと、遊技球を打ち出すためのハンドル１ｆ等が設けられている。
【００１６】
遊技場では通常、施錠部（図示省略）を介して内枠１ｃとフロント扉１ｄが機枠１ａに対して施錠され、管理者がメンテナンス等を行うために解錠した場合に限って、内枠１ｃとフロント扉１ｄを機枠１ａから前面へ回動させて開くことができるようになっている。
【００１７】
更に、図１（ｂ）に示すように、フロント扉１ｄには透明なガラス板１ｇが固着され、そのガラス板１ｇを介して遊技者が内枠１ｃに設けられている遊技盤１ｈを見ることができるようになっている。なお、フロント扉１ｄと遊技盤１ｈの詳細な構造については説明を省略するが、フロント扉１ｄの両側部分と上部には、視覚効果と音響効果を高めるための演出用のランプとスピーカ等が設けられており、遊技盤１ｈの盤面には、複数の入賞口、多数の遊技釘、視覚効果を高めるための演出用のランプや液晶表示パネル、ハンドル１ｆによって打ち出される遊技球を遊技盤１ｈの盤面上方へ案内するためのガイドレール等が設けられている。
【００１８】
更に、内枠１ｃの背面、別言すれば遊技盤１ｈの背面には、パチンコ機１における遊技動作を全体的に集中制御等する主制御基板がケース内に収容された構造を有する制御基板ユニットと、上述の視覚効果と音響効果を高めるために演出用のランプや液晶表示パネル、スピーカを制御する演出用制御基板がケース内に収容された構造を有する制御基板ユニットが取り付けられ、また、その他各種の制御基板がケース内に収容された構造を有する制御基板ユニットも取り付けられている。
【００１９】
そして、図１（ａ）に示したように、内枠１ｃとフロント扉１ｄが機枠１ａに対して施錠されると、それらの制御基板ユニットは遊技機１内に収容され、外部から見ることができないようになっている。
【００２０】
次に、図２〜図７を参照して、上述の制御基板ユニットの構造について説明する。なお、上述した主制御基板を収容する制御基板ユニットと、演出用制御基板を収容する制御基板ユニットと、その他各種の制御基板を収容する制御基板ユニットも、基本的に同じ構造の不正防止手段が設けられているため、主制御基板を収容する制御基板ユニットＵＮの構造について、代表して説明することとする。
【００２１】
図２と図３は、制御基板ユニットＵＮを２方向から見た場合の外観構造を示す斜視図であり、図２は一方向から見た場合、図３は他方向から見た場合である。図４は、制御基板ユニットＵＮの分解斜視図である。
【００２２】
図２、図３において、制御基板ユニットＵＮは、互いに嵌り合うことで主制御基板Ａ（図４を参照）を収容する基板収容ケースを構成する、矩形箱形状の第１基板ケースＢとトレー形状の第２基板ケースＣとを有している。第１基板ケースＢ及び第２基板ケースＣは共に、透明なアクリル樹脂やポリカーボネート樹脂等のいわゆる硬質の透明プラスチック材により成形されている。したがって、収容されている主制御基板Ａを、第１基板ケースＢ又は第２基板ケースＣを介して視認することが可能となっている。
【００２３】
主制御基板Ａは、図４に示すように、第１基板ケースＢに取り付けられており、ガラスエポキシ樹脂等で形成されパターン配線が施された絶縁性基板Ｄ上に、抵抗、コンデンサ等の電子素子と、ＣＰＵ、ＲＯＭ等の集積回路装置と、複数個の外部接続用ソケットＳａ〜Ｓｇとが搭載されている。外部接続用ソケットＳａ〜Ｓｇとして、主制御基板Ａに電源を供給するための電源供給ケーブルに取り付けられているコネクタが接続されるソケットや、信号伝送用のフラットケーブルに取り付けられているコネクタが接続されるソケット等が搭載されている。そして、ＲＯＭに記憶されているプログラムをＣＰＵが実行することで、遊技動作等のための制御を行うようになっている。また、絶縁性基板Ｄの第２基板ケースＣに対向する面（裏面）には、集積回路及び外部接続用ソケットＳａ〜Ｓｇ（の端子）と絶縁性基板Ｄとの接続部が露呈しているが（図示省略）、この接続部が配置されていない箇所に識別シールＬＢが貼設されている。
【００２４】
第１基板ケースＢは、矩形状の天板部２ａと、天板部２ａから延在して垂下する側壁（符号省略）とからなる矩形箱形状の基体部２ｂを有している。また、図４に示すように、上述の基体部２ｂの一端部には、第２基板ケースＣ側に向けて貫通する複数個（本実施形態では４個）のネジ穴２ｃが形成されている。さらに、基体部２ｂの一端部には第１の嵌合突起２ｄが形成されており、この嵌合突起２ｄは、第２基板ケースＣの側壁３ｈに形成された嵌合穴３ａ内に挿入する。
【００２５】
第１基板ケースＢの矩形箱形状の基体部２ｂには更に、外側に延設されたテーブル形状の台部２ｅが形成されており、台部２ｅには、主制御基板Ａに搭載されている外部接続用ソケットＳａ〜Ｓｇを遊嵌するための複数個の遊嵌穴ｈａ〜ｈｇが形成されている。製造工程において主制御基板Ａが台部２ｅの下面に取り付けられると、遊嵌穴ｈａ〜ｈｇ内に遊嵌した外部接続用ソケットＳａ〜Ｓｇが台部２ｅの上面側に突出し、それらの突出した外部接続用ソケットＳａ〜Ｓｇに、上述の電源供給ケーブルや信号伝送用のフラットケーブルに取り付けられているコネクタを接続することで、パチンコ機１内に設けられている電源装置その他の各種機器等との間で配線されるようになっている。
【００２６】
更に台部２ｅの側壁には、直線状の嵌合溝２ｆを有する嵌合部２ｇが形成され（図３、図４を参照）、第１基板ケースＢの台部２ｅと反対側の側壁には、直線状の嵌合溝（符号省略）を有する嵌合部２ｈが形成されている（図２を参照）。そして、第２基板ケースＣの相対向する側壁には直線状のレール部３ｂ，３ｃ（図４を参照）が形成され、レール部３ｂが嵌合部２ｇの嵌合溝２ｆ内に嵌合され、レール部３ｃが嵌合部２ｈの嵌合溝（符号省略）内に嵌合されることで、第１，第２基板ケースＢ，Ｃが一体に組み合わされている。
【００２７】
第２基板ケースＣの矩形状の底面３ｄには、主制御基板Ａを載置するための多数の台座３ｅが形成されていると共に、第１基板ケースＢに形成されている上述の各ネジ穴２ｃに対向する複数個（本実施形態では４個）のネジ受け部３ｇが形成され、個々のネジ受け部３ｇには、個々のネジ穴２ｃに連通する雌ネジ溝が形成されている。
【００２８】
また、第２基板ケースＣの底面３ｄの一端部には側壁３ｈが立設されており、側壁３ｈには、第１基板ケースＢの第１の嵌合突起２ｄ（図３を参照）に挿入される第２の嵌合穴３ａが形成されている。一方、底面３ｄの他端部には、第１基板ケースＢの嵌合穴２ｉに挿入する第２の嵌合突起３ｆが形成されている（図２を参照）。
【００２９】
なお、第１の嵌合突起２ｄ、第１の嵌合穴２ｉ、第２の嵌合穴３ａ及び第２の嵌合突起３ｆは、第１基板ケースＢと第２基板ケースＣが所定方向にスライドすると、対応するもの同士が嵌合（挿入）する又は嵌合解除される（引き抜かれる）位置に形成されている。ここで、「所定方向」とは、嵌合部２ｇ、２ｈとレール部３ｂ、３ｃとが嵌合した状態（嵌合部２ｇ、２ｈがレール部３ｂ、３ｃに載置された状態）で対応する嵌合突起２ｄ、３ｆと嵌合穴３ａ、２ｉとが嵌合する又は嵌合解除される方向（嵌合溝２ｆの軸方向又はレール部３ｂ、３ｃの軸方向）のことをいう。すなわち、嵌合突起２ｄと嵌合穴３ａと、及び、嵌合突起３ｆと嵌合穴２ｉとが、この嵌合する方向において対向し、これらの軸方向が全て一致している。
【００３０】
更に、嵌合突起２ｄの基体部の断面と嵌合穴３ａの断面、及び、嵌合突起３ｆの基体部の断面と嵌合穴２ｉの断面は、それぞれ同一であるので、対応する嵌合突起２ｄ、３ｆと嵌合穴３ａ、２ｉとが嵌合（挿入）していると、嵌合突起２ｄ、３ｆが嵌合穴３ａ、２ｉに拘束される。よって、基板ケースＢ、Ｃの相対運動は上記所定方向のスライドに制限される。これにより、対応する嵌合突起２ｄ、３ｆと嵌合穴３ａ、２ｉとが嵌合（挿入）しているとき、いずれの基板ケースＢ、Ｃも破壊させずに、基板収容ケースを開封（分解）するためには、上記の所定方向（嵌合突起２ｄ、３ｆ又は嵌合穴３ａ、２ｉの軸方向）にスライドさせるしかない。
【００３１】
また、第２基板ケースＣの主制御基板Ａに対向する面には、取付け部３ｉが設けられている。取付け部３ｉには、第１基板ケースＢと第２基板ケースＣとの嵌合を解除する（第２基板ケースＣと嵌合している第１基板ケースＢを第２基板ケースＣに対して移動させる）際に、絶縁性基板Ｄに取り付けられた識別シールＬＢの印刷層４を意図的にガラスビーズ層から剥離させるための剥離部材Ｈが取り付けられている。
【００３２】
剥離部材Ｈは、第２基板ケースＣに係止する頭部ｈ１と、頭部ｈ１に連設される棒状の本体部ｈ２とからなる。取付け部３ｉは略柱状を呈し、基板収容ケースが密閉（完成）された状態において、識別シールＬＢより後方側（基板収容ケースを開封する際に識別シールＬＢが第２基板ケースＣに対してスライドする側）に配置されている（図５参照）。
【００３３】
図５に示すように、取付け部３ｉは、基端部側で頭部ｈ１を収容する凹状の収容穴３２ｉと、収容穴３２ｉから軸方向に貫通し、本体部ｈ２が挿入する挿入孔３１ｉとを有する。なお、第２基板ケースＣには、収容穴３２ｉと同一断面形状の連通孔３ｊが貫通して形成されており、収容穴３２ｉと連通孔３ｊとが同心状に連通している。なお、頭部ｈ１は熱可塑性樹脂や収容穴３２ｉに嵌め込まれる形状のキャップ等で封止され、剥離部材Ｈの抜け止め防止が図られている。
【００３４】
また、剥離部材Ｈの本体部ｈ２の軸方向長さは、収容穴３２ｉの底面と絶縁性基板Ｄとの距離（Ｌ１）より短く、収容穴３２ｉの底面と識別シールＬＢとの距離（Ｌ２）より長い。したがって、密閉状態の基板収容ケースを開封しようとして、第１基板ケースＢを第２基板ケースＣに対してスライドさせると、本体部ｈ２の先端が印刷層４に接触し、印刷層４がガラスビーズ層から剥離され得る。ここで、確実に本体部ｈ２で印刷層４に接触させるためには、本体部ｈ２の移動範囲に印刷層４が配置する必要がある。
【００３５】
また、取付け部３ｉに取り付けられた取付け部３ｉの先端と絶縁性基板Ｄとは、識別シールＬＢの厚さより遠く離れている。したがって、密閉状態の基板収容ケースを密閉しようとして、第１基板ケースＢを第２基板ケースＣに対してスライドさせたときに、本体部ｈ２の先端が印刷層４に接触することで、印刷層４がガラスビーズ層から剥離されることを防ぐことができる。
【００３６】
また、挿入孔３１ｉの取付け部３ｉの軸に直行する断面形状は正方形であり、本体部ｈ２の軸に直行する断面形状は円形である。更に、その取付け部３ｉの断面の１辺の長さより、本体部ｈ２の断面の直径の方が長い。したがって、取付け部３ｉと剥離部材Ｈとの間に摩擦力が発生し得るが、剥離部材Ｈの自重より、取付け部３ｉと剥離部材Ｈとの間に発生する静止摩擦力の方が大きくなっている。すなわち、剥離部材Ｈは、取付け部３ｉによって支持される。
【００３７】
次に、制御基板ユニットＵＮの製造方法について説明する。
まず、図４に示した第１基板ケースＢに、下側から主制御基板Ａを取り付ける。ここで、台部２ｅに形成されている遊嵌穴ｈａ〜ｈｇ内に外部接続用ソケットＳａ〜Ｓｇを挿入すると共に、ＣＰＵ、ＲＯＭ、電子部品等が搭載されている絶縁性基板Ｄの領域を第１基板ケースＢの基体部分に収容し、絶縁性基板Ｄの所定位置に形成されている係止穴（図示省略）と、第１基板ケースＢの所定位置に形成されている係止突起（図示省略）とを係止させることで、第１基板ケースＢの下面に主制御基板Ａを取り付ける。
【００３８】
次に、絶縁性基板Ｄの裏面の所定位置に識別シールＬＢを貼設する。そして、第１基板ケースＢの下面に主制御基板Ａを取り付けた状態で、第１基板ケースＢを第２基板ケースＣに被せるようにして組み合わせる。ここで、第１基板ケースＢに形成されている嵌合部２ｇ，２ｈと第２基板ケースＣに形成されているレール部３ｂ，３ｃとを嵌合させた後、レール部３ｂ，３ｃに対して嵌合部２ｇ，２ｈをスライドさせる。第１基板ケースＢが第２基板ケースに対してスライドすると、第２基板ケースＣに形成されている嵌合突起３ｆが第１基板ケースＢに形成されている嵌合穴２ｉ（図２を参照）内に嵌め込まれると共に、第１基板ケースＢに形成されている嵌合突起２ｄが、第２基板ケースＣに形成されている嵌合穴３ａ内に嵌め込まれる。すなわち、図２、図３に示すように、嵌合突起３ｆと嵌合穴２ｉとが嵌合し、嵌合突起２ｄと嵌合穴３ａとが嵌合すると共に、第１基板ケースＢに形成されている嵌合部２ｇ，２ｈと第２基板ケースＣに形成されているレール部３ｂ，３ｃとが嵌合する。この結果、第１，第２基板ケースＢ，Ｃはレール部３ｂ，３ｃの長さ方向以外の相対移動を規制された状態で強固に組み合わされる。また、第１、第２基板ケースＢ、Ｃからなる基板収容ケースは密閉されており、絶縁性基板Ｄが台座３ｅ上に載置されている。つまり、図６の要部断面図にて示すように、主制御基板Ａは、安定した状態で、密閉された基板収容ケース内に収容されている。
【００３９】
上述したように、第１，第２基板ケースＢ，Ｃが組み合わされ、嵌合突起２ｄ、３ｆと嵌合穴３ａ、２ｉがそれぞれ嵌合されると、図５に示すように、取付け部３ｉが絶縁性基板Ｄに貼設された識別シールＬＢより進行方向（解体方向）に対する後方側に配置される。そこで、次に、頭部ｈ１が収容穴３２ｉに係止するまで剥離部材Ｈの本体部ｈ２を挿入孔３１ｉに挿入する。更に、剥離部材Ｈの頭部ｈ１を熱可塑性樹脂やキャップ等で封止することで、剥離部材Ｈの抜け止め防止を図ると共に、第１，第２基板ケースＢ，Ｃを不正に解体することができないようにすることができる。
【００４０】
なお、上述したように、第２基板ケースＣに対して第１基板ケースＢをスライドさせるときに、取付け部３ｉと主制御基板Ａとの距離は識別シールＬＢの厚さより長く確保されている。したがって、このスライド途中における識別シールＬＢの印刷層４と取付け部３ｉとの接触による印刷層４のガラスビーズ層からの剥離を防止することができる。さらに、第１基板ケースＢと第２基板ケースＣとが完全に密閉されたとき、識別シールＬＢは基板収容ケースの外部から遮断される。したがって、識別シールＬＢは外的要素（タバコの煙や塵・埃）による汚染から保護されるので、識別シールＬＢの品質低下を抑えることができる。パチンコ店等では、タバコの煙が発生し易いので、この効果は特に有用である。
【００４１】
また、基板収容ユニットＵＮは、基板収容ケースの開封過程（第１基板ケースＢを第２基板ケースＣに対してスライドさせる際）において、剥離部材Ｈが識別シールＬＢを破損させる構造を備える。すなわち、基板収容ケースの開封（第１基板ケースＢと第２基板ケースとの相対運動）に連動する識別シールＬＢの移動範囲に剥離部材Ｈが配置されているので、識別シールＬＢは剥離部材Ｈによって破損され得る。よって、この場合に発生する識別シールＬＢの破損形状を予め知得しておけば、基板収容ケースの開封によって必然的に不可逆的に発生する識別シールＬＢの損傷によって、基板収容ケースの開封の形跡を発見することができる。すなわち、不正行為の過程において識別シールＬＢに特定の破損部が形成されるので、基板収容ケースの開封を経由して取得された識別シールＬＢの転用は不可能となる。要するに、識別シールＬＢの再利用が防止される。なお、破損部の形跡を容易に発見するためには、剥離部材Ｈの印刷層４の移動経路上に配置されることが望ましい。
【００４２】
次に、上述した識別シールＬＢの構造について説明する。
図８（ａ）は、識別シールＬＢの縦断面構造を示す断面図である。なお、識別シールＬＢの構造を理解しやすくするために、簡略化して示したものである。
【００４３】
図８（ａ）において、識別シールＬＢは、印刷層４と、整列して配置された多数の微細なガラスビーズ５から成るガラスビーズ層と、反射層６と、保持層７と、基材８とを有して構成されており、基材８は、支持層９と粘着層１０とを有して構成されている。なお、以下においては、印刷層４を識別シールＬＢの表面側（後述する照射光が照射される側）、基材８を図４〜図５に示した絶縁性基板Ｄの裏面に貼り付けられる裏面側とする。
【００４４】
また、識別シールＬＢを製造する製造工程では、ＰＥＴフィルム等のフィルムの表面にポリエチレン樹脂等を塗布し、その上に多数の微細なガラスビーズ５を散布して乾燥させ、ガラスビーズ５の半球面（ポリエチレン樹脂等の側の半球面）をポリエチレン樹脂中に埋没させた後、ガラスビーズ５の露出した半球面に反射層６を蒸着させ、更に基材８上に形成した保護層７を反射層６に貼り合わせて、更にＰＥＴフィルム等のフィルムを剥離し、最後に多数の微細なガラスビーズ５から成るガラスビーズ層の表面に印刷層４を形成して、所定の大きさ及び形状に裁断等することで、識別シールＬＢが形成されている。
【００４５】
個々の微細なガラスビーズ５は、顕微鏡などを用いて拡大しないと視認することができない極めて小さい球形のガラスビーズ（別言すれば、粉体状のガラスビーズ）であり、多数のガラスビーズ５が整然と二次元方向（面状）に敷き詰められた状態で保持層７に配置されている。ここで、ガラスビーズ５の裏面側の半球面（裏面側のほぼ半分の球面）が反射層６を介して保持層７中に埋設されている。ガラスビーズ５の上面側の半球面（上面側のほぼ半分の球面）は露出又は印刷層４で覆われている。つまり、整然と二次元方向に敷き詰められた状態の多数のガラスビーズ５上に文字や記号、絵柄等のパターンが印刷層４として印刷されており、印刷層４によって覆われていないガラスビーズ５が外部に露出し、印刷層４によって覆われているガラスビーズ５は外部に露出していない。
【００４６】
また、ガラスビーズ５は、識別シールＬＢの表面側から照射される照射光（本実施形態では、波長３９０〜７７０ｎｍの範囲内の複数の波長光を混合させた可視光、又は単一波長の可視光が用いられている）に対して光透過性を有し、且つその照射された照射光を屈折させて表面側へ出射させる屈折率を有する微細な球形のガラスで形成されている。例えば、ＢａＯ-ＳｉＯ２系ガラスやＢａＯ-ＺｎＯ-ＴｉＯ２系ガラス等による微細な球形のガラスで形成されている。
【００４７】
印刷層４は、所定の文字、図形又は模様等が印刷されたインクで形成されている。印刷層４によって表されるものとして、制御基板ユニットＵＮを識別するための識別情報や、製造元の品質保証を示す情報、商標等の情報等ある。印刷層４が、制御基板ユニットＵＮを識別するための識別情報を現す場合、その識別情報を上述した主制御基板ＡのＣＰＵ又はＲＯＭに与えられた管理番号（又は識別番号）と一義的に対応付けることができる。この場合、不正が施されたＣＰＵ等に入れ替えられても、識別シールＬＢの識別情報とＣＰＵ等の管理番号との関係から不正を発見することができる。なお、ＣＰＵ等に管理番号が与えられる方法として、ＣＰＵ等の表面に管理番号を直接刻印する方法や管理番号が付されたシールを貼付する方法、記憶装置に管理番号を記憶させる方法等がある。
【００４８】
また、印刷層４の暑さは０．５〜５μｍの範囲内となっている。より具体的には、印刷層４は、人間の手（主に指や爪）で印刷層４に軽く触れて擦ると、ガラスビーズ５から印刷層４が剥ぎ取られ、そのガラスビーズ５の表面が露出することとなる程度の厚みで形成されている。このように、人間の手で軽く触れて擦ると剥離することとなる印刷層４を形成することで、不正行為者の手で触った痕跡を知ることができるようになっており、制御基板ユニットＵＮに対する不正行為を発見して防止することができるようになっている。
【００４９】
また、印刷層４は、上述した照射光を透過させない不透明なインク、又は照射光の一部を透過させる所定透過率を有する有色透明なインクで形成されている。また、印刷層４は、無機顔料、有機顔料の何れのインクでも良く、また、これらの顔料に光散乱粉末等を混入したインクでも良い。印刷方法としては、活版印刷、写真版印刷、水なし平板印刷、グラビア印刷、彫刻凸版印刷、スクリーン印刷、コロタイプ印刷の何れの方法でも良いし、インクジェットプリンタ等によりインクを吹きつけて印刷する方法でも良い。
【００５０】
反射層６は、識別シールＬＢの表面側からガラスビーズ５に照射される照射光を完全反射する薄い金属材や、照射光の一部を透過させる所定の光透過率を有する金属化合物等の材料で形成されている。また、反射層６が照射光の一部を透過させる所定の光透過率を有する金属化合物で形成される場合には、照射光を干渉させて構造色を発する金属化合物によって単一の薄い層（照射光の波長と同程度の厚みの層）として形成されており、酸化チタン、酸化ビスマス、酸化ジルコニウム、酸化珪素、酸化亜鉛等が用いられている。また、反射層６が照射光の一部を透過させる所定の光透過率を有する金属化合物で形成される場合には、照射光に対して屈折率の高い金属化合物と屈折率の低い金属化合物とを交互に積層させた多層構造の薄い層（照射光の波長と同程度の厚みの層）としても形成されており、屈折率の高い金属化合物として、酸化チタン、酸化亜鉛、酸化錫、酸化インジウム、酸化ジルコニウム、酸化珪素、酸化マグネシウム等が用いられ、屈折率の低い金属化合物として、フッ化カルシウム、フッ化マグネシウム、フッ化ナトリウム、酸化珪素等が用いられている。
【００５１】
保持層７は、基材８上にガラスビーズ５を保持するための層であり、例えばポリエチレン系樹脂、ポリエステル系樹脂、アクリル系樹脂、シリコーン系樹脂、フッ素樹脂、ポリアミド系樹脂、ポリビニルアルコール系樹脂、ポリウレタン系樹脂、ポリオレフィン系樹脂、ポリカーボネート樹脂、ポリスルホン樹脂等の熱可塑性樹脂によって形成されている。また、保持層７は、基材８からガラスビーズ５を離して保持することができる程度の薄い層として形成されている。
【００５２】
基材８のうち支持層９は、制御基板ユニットＵＮの機械的強度など決定づける層であり、ポリエステル系樹脂、ポリオレフィン系樹脂、セルロース系樹脂、アクリル系樹脂等のフィルム状のシートによって形成されている。
【００５３】
粘着層１０は、支持層９の裏面側に設けられており、ポリエステル系粘着剤、アクリル系接着剤、ウレタン系接着剤、酸化ビニル系接着剤が用いられている。そして、粘着層１０の裏面が、図示しない剥離紙によって被覆されており、その剥離紙を剥がして、露出した粘着層１０を図４〜図５に示した絶縁制御基板Ｄの裏面に貼り付けることで、識別シールＬＢの絶縁制御基板Ｄへの貼設が行われるようになっている。
【００５４】
以上に説明した識別シールＬＢが絶縁制御基板Ｄに貼設されると、制御基板ユニットＵＮが真正のものであることを示すいわゆる品質保証機能等を発揮し、不正行為の発見と防止に寄与することができる。
【００５５】
つまり、遊技場の管理者等が、上述した所定波長の照射光を発光する発光装置を管理、携帯などすることとし、パチンコ機の異常の有無を調べる際などに、制御基板ユニットＵＮに貼られている識別シールＬＢの表面に照射光を照射する。
【００５６】
このように照射光を照射すると、図８（ａ）に示した印刷層４で覆われていないガラスビーズ５に入射した光は屈折されて、戻り光となって表面側の外部へ戻ってくるため、反射層６の色が強調され、自然光の下で見える色彩（図８（ｂ）参照）よりも鮮やかな色彩となる光学パターンが発生する（図８（ｃ）参照）。また、印刷層４で覆われたガラスビーズ５からは、屈折された戻り光が印刷層４によって遮光されたり吸収されるため、外部に戻ってこなくなったり減光されて戻ってくることとなり、印刷層４で覆われていないガラスビーズ５から、殆ど減光等されることなく外部に戻ってくることになるため、印刷層４が存在している領域と存在していない領域間にコントラストが生ずることになる（図８（ｃ）参照）。
【００５７】
更に、反射層６が、照射光の一部を透過させる所定の光透過率を有する金属化合物等で形成されている単一の薄い層である場合には、光の干渉作用によって構造色が発生し、その構造色で着色されたような色彩の光学パターンが発生する。また、反射層６が、照射光の一部を透過させる所定の光透過率を有する金属化合物等で形成されている多層構造の薄い層である場合には、屈折率の高い金属化合物等と屈折率の低い金属化合物等によって生じる光の干渉作用により、構造色が発生し、その構造色で着色されたような色彩の光学パターンが発生する。また、反射層６が、照射光を全反射する金属材で形成されている場合には、その反射した光で着色されたような色彩の光学パターンが発生することになる。
【００５８】
また、反射層６を所定の光透過率に調整すると、自然光では光学パターンが発生せず、所定波長の照射光が照射された場合だけ、光学パターンが発生するようにすることも可能である。
【００５９】
そして、光学パターンは上述したガラスビーズ５による光の屈折と反射層６による光の干渉作用によって決まる特有の色彩等が施されたパターンとなることから、光学パターンが識別シールＬＢと照射光との関係で特有のパターンとなっているかを管理者が目視して調べることで、制御基板ユニットＵＮが真正のものであるか否か判定することができる。
【００６０】
このように、所定波長の照射光（可視光）を識別シールＬＢに照射すると、識別シールＬＢ特有の光学パターンが生じることになり、特有の光学パターンが生じた場合には、制御基板ユニットＵＮが真正のものである判定し、一方、特有の光学パターンとは異なるパターンが生じたり、光学パターンが生じなかった場合には、制御基板ユニットＵＮが偽造等された不正のものであると判定して、不正行為を発見することができる。
【００６１】
また、ガラスビーズ５の材質や大きさ、配列の仕方等を調整したり、反射層６の厚みや材料、透過率等を調整したり、反射層６を単一の層や多層構造の層に調整すると、照射光（可視光）の波長に対する光学パターンを変更することができると共に、それらの調整は精密な製造工程でなければ行うことができない。そのため、識別シールＬＢを偽造することは殆ど不可能とすることができ、偽造防止を図ることができる。更に、偽造防止が不可能で特有の光学パターンを生じさせる真正の識別シールＬＢが制御基板ユニットＵＮに貼設されるので、不正改造などが成された制御基板ユニットを確実に発見することができ、ひいては不正行為を防止することが可能である。
【００６２】
また、識別シールＬＢは、ＩＣタグなどの電子部品と比較して、安価に製造することができる簡素な構造であり、一方、安価に製造することができるものであっても、上述した偽造などを確実に防止することができる特種な機能を発揮する構造を有するものである。
【００６３】
以上に述べたように、本実施形態のパチンコ機１では、所定波長の照射光が照射されると特有の光学パターンを発生させる構造を有する安価に製造することが可能な識別シールＬＢを新規な不正防止手段として制御基板ユニットＵＮに設けられているので、コスト高を防止し、不正行為を確実に防止することができる。
【００６４】
なお、以上に述べた本実施形態１の識別シールＬＢは、図４に示したように真円や楕円などの円形状に形成しても良い。このように円形状に形成すると、製造工程において制御基板ユニットに識別シールＬＢを貼設する際、剥離紙から識別シールＬＢを剥離して貼設する処理が容易になり、製造ラインの機械化にとって好ましい。しかしながら、識別シールＬＢの形状は特に限定されるものではないので、長方形や正方形などの矩形状や他の形状としてもよい。
【００６５】
また、実施形態１では、基板収容ケースは嵌合部２ｇ、２ｈとレール部３ｂ、３ｃとでスライド自在に嵌合された基板ケースＢ、Ｃがスライドすることによって密封及び開封されるが、基板収容ケースの（密封開封）構造はこれに限られない。例えば、基板収容ケースが、蓋形状の第１基板ケースＢと、矩形箱形状の第２基板ケースＣとからなり、基板ケースＢ、Ｃが蝶番で回動自在に接続される構造でもよい。この場合、嵌合突起２ｄ、３ｆ及び嵌合穴３ａ、２ｉは、基板ケースＢ、Ｃが蝶番の軸周りに回転し、基板収容ケースが密閉されるときに、適切に嵌合する位置に設けられれば良い。なお、この場合、基板収容ケースが蝶番を具備せず、蓋形状の第１基板ケースＢが矩形箱形状の第２基板ケースＣの開口側から単に嵌め込まれる構造でも良い。
【００６６】
また、実施形態１では、基板ケースＢ、Ｃに嵌合突起及び嵌合穴が形成されているが、基板ケースＢ、Ｃの嵌合構造はこれに限られない。例えば、第１基板ケースＢには１つの嵌合突起のみが形成され、第２基板ケースＣには１つの嵌合穴のみが形成されるパターンでも、第１基板ケースＢには１つの嵌合穴のみが形成され、第２基板ケースＣには１つの嵌合突起のみが形成されるパターンでも良い。更に、第２基板ケースＣが２つに分割されており、第２基板ケースＣの構成部材の各々に嵌合穴が形成され、第１基板ケースＢには２つの嵌合突起が形成されて、第１基板ケースＢの両端部外側から第２基板ケースＣの構成部材を差し込む構造でも良い。
【００６７】
また、実施形態１では、嵌合突起の断面と嵌合穴の断面とが同一であるが必ずしも同一である必要はない。しかしながら、嵌合突起が嵌合穴に拘束されることが望ましい。これは、第１基板ケースＢの第２基板ケースＣに対する移動方向を制限し、基板収容ケースの開封時に識別シールＬＢの損傷が起こり難くなることを防ぐためである。
【００６８】
また、剥離部材Ｈ及び取付け部３ｉの構造も実施形態１の構造に限られない。基板収容ケースの密封過程で識別シールＬＢの損傷が起こらず、基板収容ケースの開封過程で識別シールＬＢの損傷が起こるようにできればよい。
【００６９】
（実施形態２）
次に、実施形態２について図９を参照して説明する。本実施形態は、図８（ａ）に示した構造を有する識別シールＬＢとは異なる別構造の識別シールＬＢに関するものである。制御基板ユニットＵＮは実施形態１と同様であるため説明を省略する。
【００７０】
図９に示す識別シールＬＢは、反射層６が保持層７と基材８との間に形成されており、ガラスビーズ５と保持層７との間に反射層６が形成されている図８（ａ）に示す識別シールＬＢとは異なった構造を有している。
ここで、図９に示す識別シールＬＢでは、ガラスビーズ５に照射される照射光が焦点を結ぶ位置に反射層６が形成されている。
【００７１】
そして、印刷層４とガラスビーズ５と保持層７と基材８の構造及び材質は、実施形態１と同じであり、更に、反射層６自体の構造、すなわち、光を全反射する構造、所定の透過率を有する単一の薄い層とする構造、所定の透過率を有する多層構造の薄い膜とする構造についても実施形態１と同じである。
【００７２】
本実施形態の識別シールＬＢにおいても、ガラスビーズ５の材質や大きさ、配列の仕方等を調整したり、反射層６の厚みや材料、透過率等を調整したり、反射層６を単一の層や多層構造の層に調整すると、照射される照射光（可視光）の波長に対する特有の光学パターンを発生させることができる。
【００７３】
そのため、この識別シールＬＢが制御基板ユニットＵＮに貼設されることで、真正の制御基板ユニットであることを証明することができ、ひいては不正行為を防止することができる。
【００７４】
（実施形態３）
次に、実施形態３について図１０と図１１を参照して説明する。本実施形態は、図８（ａ）に示した構造を有する識別シールＬＢとは異なる別構造の識別シールＬＢに関するものである。制御基板ユニットＵＮは実施形態１と同様であるため説明を省略する。
【００７５】
図１０に示す本実施形態の識別シールＬＢは、識別シールＬＢの周縁部に、印刷インク又は熱可塑性樹脂による保護層１１が形成されている。ここで、保護層１１は、印刷層４の上面に５μｍ程度の高さの塀のようにして形成されている。印刷層４とガラスビーズ５と反射層６と保持層７と基材８の構造及び材質は、実施形態１と同じである。
【００７６】
次に、図１１に示す識別シールＬＢは、識別シールＬＢの周縁部に、印刷インク又は熱可塑性樹脂による保護層１１が形成されている。ここで、保護層１１は、ガラスビーズ５の上面に５μｍ程度の高さの塀のようにして形成されている。印刷層４とガラスビーズ５と反射層６と保持層７と基材８の構造及び材質は、実施形態１と同じである。
【００７７】
図１０と図１１に示す識別シールＬＢによると、実施形態１で説明した特有の光学パターンを発生することで、不正行為の発見と防止を行うことができる他、保護層１１の存在によって、印刷層４の上面を不用意に触ってしまうという問題の発生を軽減することができる。
【００７８】
なお、図１０と図１１に示す識別シールＬＢは、図８に示した識別シールＬＢの変形例に相当するものであるが、図９に示した識別シールＬＢの周縁部に、保護層１１を形成してもよい。そして、図９に示した識別シールＬＢの周縁部に保護層１１を形成すると、実形態２で説明した特有の光学パターンを発生することで、不正行為の発見と防止を行うことができる他、印刷層４の上面を不用意に触ってしまうという問題の発生を軽減することができる。
【符号の説明】
【００７９】
ＵＮ…制御基板ユニット
Ａ…制御基板
Ｂ…第１基板ケース
Ｃ…第２基板ケース
Ｈ…突起部材（剥離部材）
ＬＢ…識別シール
１…パチンコ機
２…第１基板ケース（第１ケース部材）
３…第２基板ケース（第２ケース部材）
３ｉ…取付け部材
４…印刷層
５…ガラスビーズ
６…反射層
７…保持層
【図１】
0005401265.tif 000002
【図２】
0005401265.tif 000003
【図３】
0005401265.tif 000004
【図４】
0005401265.tif 000005
【図５】
0005401265.tif 000006
【図６】
0005401265.tif 000007
【図７】
0005401265.tif 000008
【図９】
0005401265.tif 000009
【図１０】
0005401265.tif 000010
【図１１】
0005401265.tif 000011
【図８】
0005401265.tif 000012